(57)【要約】【課題】画像形成装置に格納されている画像データを、外部装置において素早く表示する。【解決手段】画像データを作成する画像処理装置とネットワークを介して通信を行う情報処理装置において、画像処理装置において作成された画像データを受信する受信手段と、受信手段で受信した画像データと、当該受信した画像データを作成した画像処理装置とを紐付けて記憶する記憶手段と、記憶手段で記憶した画像データを表示する表示手段と、受信手段で受信した画像データを作成した所定の画像処理装置との接続の有無を判断する判断手段と、を有し、判断手段によって画像データを作成した画像処理装置との接続を判断したとき、記憶手段で記憶した画像処理装置と紐付けて記憶された画像データを表示する。【選択図】図６
2016170727.tif 000002
【特許請求の範囲】
【請求項１】
画像データを作成する画像処理装置とネットワークを介して通信を行う情報処理装置において、
前記画像処理装置において作成された画像データを受信する受信手段と、
前記受信手段で受信した画像データと、当該受信した画像データを作成した画像処理装置とを紐付けて記憶する記憶手段と、
前記記憶手段で記憶した画像データを表示する表示手段と、
前記受信手段で受信した画像データを作成した所定の画像処理装置との接続の有無を判断する判断手段と、を有し、
前記判断手段によって前記画像データを作成した画像処理装置との接続を判断したとき、前記記憶手段で記憶した前記画像処理装置と紐付けて記憶された画像データを表示することを特徴とする情報処理装置。
【請求項２】
画像処理装置を識別するための固有情報を受信する手段と、前記受信した固有情報と一致する予め記憶された固有情報に対応する画像データを前記画像処理装置へ送信する手段と、をさらに含み、前記画像処理装置から最新の画像データを受信することを特徴とする請求項１に記載の情報処理装置。
【請求項３】
前記画像処理装置において作成された画像データは暗号化されており、前記接続を判断した画像処理装置から受信する復号キーを元に、前記暗号化された画像データを復号することを特徴とする請求項１又は２に記載の情報処理装置。
【請求項４】
前記画像データを表示するためのスペック情報を前記画像処理装置へ送信することを特徴とする請求項１から３の何れか１項に記載の情報処理装置。
【請求項５】
前記スペック情報に基づいて、最適化された画像データを受信することを特徴とする請求項４に記載の情報処理装置。
【請求項６】
前記画像処理装置との接続を判断したタイミングで前記画像データを受信することを特徴とする請求項１から５の何れか１項に記載の情報処理装置。
【請求項７】
前記画像処理装置から前記画像データを作成した旨の通知を受信する手段をさらに含み、前記通知を受信すると、前記画像処理装置から前記作成した画像データを受信し、前記記憶手段で記憶している画像データに前記受信した画像データが存在しないとき、前記存在しない画像データを送信するよう前記画像処理装置に要求することを特徴とする請求項１から６の何れか１項に記載の情報処理装置。
【請求項８】
前記画像データは、プレビュー・サムネイル画像データであることを特徴とする請求項１から７の何れか１項に記載の情報処理装置。
【請求項９】
画像データを作成する画像処理装置と、前記画像処理装置とネットワークを介して通信を行う情報処理装置とを含む情報処理システムであって、
前記画像処理装置において作成された画像データを受信する受信手段と、
前記受信手段で受信した画像データと、当該受信した画像データを作成した画像処理装置とを紐付けて記憶する記憶手段と、
前記記憶手段で記憶した画像データを表示する表示手段と、
前記受信手段で受信した画像データを作成した所定の画像処理装置との接続の有無を判断する判断手段と、を有し、
前記判断手段によって前記画像データを作成した画像処理装置との接続を判断したとき、前記記憶手段で記憶した前記画像処理装置と紐付けて記憶された画像データを表示することを特徴とする情報処理システム。
【請求項１０】
画像データを作成する画像処理装置とネットワークを介して通信を行う情報処理装置のコンピュータに、
前記画像処理装置において作成された画像データを受信する処理と、
前記受信する処理で受信した画像データと、当該受信した画像データを作成した画像処理装置とを紐付けて記憶する処理と、
前記受信する処理で受信した画像データを作成した所定の画像処理装置との接続の有無を判断する処理と、
前記判断する処理によって前記画像データを作成した画像処理装置との接続を判断したとき、前記記憶する処理で記憶した前記画像処理装置と紐付けて記憶された画像データを表示する処理と、
を実行させるためのプログラム。
【発明の詳細な説明】
【技術分野】
【０００１】
本発明は、情報処理装置、情報処理システム、及び情報処理装置のプログラムに関する。
【背景技術】
【０００２】
画像処理装置や情報処理装置の内部にある画像データを、これ等の装置において印刷や表示を行う前に、当該画像データの中身を確認するためのプレビュー表示やサムネイル表示をする技術が既に知られている。
【０００３】
また、画像処理装置を、通信装置を介して情報処理装置や操作部と繋げることによって、遠隔で操作する技術も既に知られている。
【０００４】
特許文献１には、表示速度を高速化することを目的として、画像データ量、又はファイル数に応じて、画像リスト表示かプレビュー表示かを切り替えることにより、表示速度を高速化させる画像処理装置が開示されている。
【発明の概要】
【発明が解決しようとする課題】
【０００５】
しかしながら、今までのプレビュー表示やサムネイル表示は、画像データを保持している本体側が、プレビュー表示やサムネイル表示用のデータを保持しているため、遠隔で操作する情報処理装置や、持ち運びや着脱が自在な操作部において画像データを確認しようとすると、本体からプレビュー表示用データやサムネイル表示用データを送受信する必要があるため、表示が遅くなるという問題があった。
【０００６】
また、特許文献１に記載された技術では、表示速度を高速化させることが開示されているが、遠隔で操作する情報処理装置や持ち運びや着脱が自在な操作部で画像データを確認しようとする場合、プレビュー用データやサムネイル用データの表示が遅くなるという問題は依然として解消されていない。
【０００７】
そこで、本発明は、上記従来技術の問題点に鑑みてなされたものであって、画像処理装置で作成されたる画像データを、外部装置である情報処理装置に予め格納しておくことにより、画像処理装置で作成された画像データを、素早く表示することが可能な情報処理装置を提供することを目的とする。
【課題を解決するための手段】
【０００８】
上記課題を解決するため、本発明における情報処理装置は、画像データを作成する画像処理装置とネットワークを介して通信を行う情報処理装置において、前記画像処理装置において作成された画像データを受信する受信手段と、前記受信手段で受信した画像データと、当該受信した画像データを作成した画像処理装置とを紐付けて記憶する記憶手段と、前記記憶手段で記憶した画像データを表示する表示手段と、前記受信手段で受信した画像データを作成した所定の画像処理装置との接続の有無を判断する判断手段と、を有し、前記判断手段によって前記画像データを作成した画像処理装置との接続を判断したとき、前記記憶手段で記憶した前記画像処理装置と紐付けて記憶された画像データを表示することを特徴とする。
【発明の効果】
【０００９】
本発明によれば、画像処理装置で作成された画像データを、素早く表示することが可能な情報処理装置を得ることができる。
【図面の簡単な説明】
【００１０】
【図１】本実施形態に係る情報処理システムの概略を示すシステム構成図である。
【図２】本実施形態に係る情報処理システムのハードウェアの構成について説明する図である。
【図３】本実施形態に係る情報処理システムのソフトウェアの構成について説明する図である。
【図４】従来の画像処理装置に搭載されている操作部にプレビュー・サムネイルを表示する際のイメージについて説明する図である。
【図５】従来の画像処理装置に接続された外部操作装置にプレビュー・サムネイルを表示する際のイメージについて説明する図である。
【図６】本実施形態に係る情報処理システムにおいて画像処理装置に接続された外部操作装置にプレビュー・サムネイルを表示する際のイメージについて説明する図である。
【図７】本実施形態に係る情報処理システムにおいて図６と異なる画像処理装置に接続された外部操作装置にプレビュー・サムネイルを表示する際のイメージについて説明する図である。
【図８】本実施形態に係る情報処理システムを構成する画像処理装置の初期設定の処理について説明するフロー図である。
【図９】本実施形態に係る情報処理システムを構成する画像処理装置の動作の処理について説明するフロー図である。
【図１０】本実施形態に係る情報処理システムを構成する外部操作装置の初期設定の処理について説明するフロー図である。
【図１１】本実施形態に係る情報処理システムを構成する外部操作装置の動作の処理について説明するフロー図である。
【図１２】本実施形態に係る情報処理システムを構成する画像処理装置が持つ固有情報について説明する図である。
【図１３】本実施形態に係る情報処理システムを構成する画像処理装置と外部操作装置とが送受する画像一覧情報について説明する図である。
【図１４】本実施形態に係る情報処理システムを構成する画像処理装置と外部操作装置とにいて行われるおける暗号化処理と復号化処理とについて説明する図である。
【図１５】本実施形態に係る情報処理システムを構成する外部操作装置が送信する表示装置のスペックについて説明する図である。
【発明を実施するための形態】
【００１１】
本発明は、情報処理装置、情報処理システム、及び情報処理装置のプログラムに関するものである。まず、本実施形態に係る情報処理システムの概略について説明する。図１は、本実施形態に係る情報処理システムの概略を示すシステム構成図である。
【００１２】
本実施形態に係る情報処理システム１００は、画像処理装置１０と、画像処理装置１０に着脱可能に接続される外部操作装置２０、又は画像処理装置１０に対して通信ネットワークを介して接続されるスマートホンを一例とする情報処理装置３０とから構成される。そして、画像処理装置１０が格納しているプレビュー・サムネイル画像データの作成に関して、次のような特徴を有する。
【００１３】
すなわち、画像処理装置１０に格納されている画像データに対応するプレビュー・サムネイル画像データを作成した際、画像処理装置１０に接続される外部操作装置２０又は情報処理装置３０に対してプレビュー・サムネイル画像データをアップロードする。そして、外部操作装置２０又は情報処理装置３０は、アップロードされたプレビュー・サムネイル画像データと画像処理装置１０に格納されている画像データとを紐付けて記憶することとしている。これにより、従来、画像処理装置１０からその都度アップロードを行っていたプレビュー・サムネイル画像データを、画像処理装置１０以外の各装置で保持しておくことで、各装置における表示速度を速めている。
【００１４】
次に、本発明を実施するための形態について図面を参照して詳細に説明する。なお、各図中、同一又は相当する部分には同一の符号を付しており、その重複説明は適宜に簡略化乃至省略する。以下、本実施形態について説明するが、本実施形態は、以下に説明する実施形態に限定されるものではない。また、以下に説明する実施形態では、画像処理装置に格納されているプレビュー・サムネイル画像データを、外部の情報処理装置において表示する態様について説明しているが、プレビュー・サムネイル画像データ以外の如何なるデータを対象としても良い。
【００１５】
まず、本実施形態に係る情報処理システムのハードウェアの構成について説明する。図２は、本実施形態に係る情報処理システムのハードウェアの構成について説明する図である。
【００１６】
情報処理システム１００は、画像処理装置１０と、画像処理装置１０とは別個独立し、画像処理装置１０の外部通信装置１０４を介して画像処理装置１０とネットワークを介して通信可能な外部操作装置２０又は図示しない情報処理装置３０とから構成される。すなわち、画像処理装置１０と外部操作装置２０、及び画像処理装置１０と情報処理装置３０は、外部通信装置１０４及び外部通信装置２０２を介して互いに通信が可能である。なお、外部操作装置２０は、画像処理装置１０に対して着脱可能な構成であっても良い。
【００１７】
画像処理装置１０は、自機操作部１０２、画像データを入出力する画像入出力装置１０３、画像データを記憶する１次記憶装置１０６、２次記憶装置１０７、外部操作装置２０との通信を行う外部通信装置１０４で構成されている。また、画像処理装置１０は、画像データを参照するためのプレビュー・サムネイル画像データを作成する変換装置１０５、自装置内の各装置を制御する制御装置１０１で構成されている。
【００１８】
外部操作装置２０は、各種設定の入出力を行う設定入力装置２０３、プレビュー・サムネイル画像データ等を表示する表示装置２０４、画像処理装置１０との通信を行う外部通信装置２０２で構成されている。また、外部操作装置２０は、自身のデータを記憶するための１次記憶装置２０５、２次記憶装置２０６、自装置内の各装置を制御する制御装置２０１で構成されている。なお、画像処理装置１０に接続される情報処理装置３０も、外部操作装置２０とほぼ同様な構成を有している。
【００１９】
次に、本実施形態に係る情報処理システムのソフトウェアの構成について説明する。図３は、本実施形態に係る情報処理システムのソフトウェアの構成について説明する図である。
【００２０】
まず、画像処理装置１０のソフトウェア構成について説明する。画像処理装置１０は、変換装置１０５を制御する変換制御部１１１、プレビュー・サムネイル画像データを管理する管理制御部１１２で構成されている。また、画像処理装置１０は、データの暗号化を行う暗号制御部１１３、自機操作部１０２を制御する操作制御部１１４で構成される。
【００２１】
変換制御部１１１は、画像データを参照するためのデータとして、変換形式や解像度の設定を行うことにより対象の画像データに応じた変換を行う。管理制御部１１２は、変換装置１０５で作成されたプレビュー・サムネイル画像データを接続されている外部操作装置２０に送信したり、外部操作装置２０固有の情報としてスペック情報を管理格納する。また、管理制御部１１２は、外部操作装置２０のスペック情報から最適な画像変換設定を行ったり、外部操作装置２０から要求された設定でプレビュー・サムネイル変換設定を行う。
【００２２】
暗号制御部１１３は、画像処理装置１０の外部に送信するプレビュー・サムネイル画像データを暗号化して送信するよう制御する。また、暗号制御部１１３は、画像処理装置１０と接続されている外部操作装置２０に対し、画像一覧と共に復号キーを送信することにより、暗号化されたプレビュー・サムネイル画像データを外部操作装置２０の表示装置２０４に表示させる。操作制御部１１４は、画像処理装置１０の自機操作部１０２に、プレビュー・サムネイル画像データを表示するための操作設定を行う。
【００２３】
次に、外部操作装置２０のソフトウェア構成について説明する。外部操作装置２０は、プレビュー・サムネイル画像データを管理する管理制御部２１１、データの復号を行う復号制御部２１２で構成される。また、外部操作装置２０は、自機の操作部（設定入出力装置２０３、表示装置２０４）を制御する操作制御部２１３で構成される。
【００２４】
管理制御部２１１は、画像処理装置１０における管理制御部１１２と同様に、自機の表示性能スペックを格納管理する。また、管理制御部２１１は、プレビュー・サムネイル画像データを表示するのに最適な設定値を格納管理する。復号制御部２１２は、復号キーを受け取ることにより、暗号化されたプレビュー・サムネイル画像データを復号処理する。操作制御部２１３は、表示装置２０４にプレビュー・サムネイル画像データを表示するための指示の入力や操作設定を行う。
【００２５】
次に、従来の画像処理装置に搭載されている操作部にプレビュー・サムネイルを表示する際のイメージについて説明する。図４は、従来の画像処理装置に搭載されている操作部にプレビュー・サムネイルを表示する際のイメージについて説明する図である。
【００２６】
従来の画像処理装置１１０に搭載されている自機操作部１０２１にプレビュー・サムネイル画像データを表示する場合、自機操作部１０２１は、ハードディスク（以下、ＨＤともいう。）を一例とする共通のメモリを有している。したがって、画像ファイルを選択してプレビュー・サムネイル画像データの表示を行う場合も、共有しているメモリから画像ファイルの展開を行うので、素早く表示することが可能である。
【００２７】
次に、従来の画像処理装置に接続された外部操作装置にプレビュー・サムネイルを表示する際のイメージについて説明する。図５は、従来の画像処理装置に接続された外部操作装置にプレビュー・サムネイルを表示する際のイメージについて説明する図である。
【００２８】
図５に示すように、外部操作装置２１において画像処理装置１１０の画像データを取り扱う際、画像データの中身を参照するため、プレビュー・サムネイル画像データを参照することになる。このとき、画像データを外部操作装置２１の内部メモリにダウンロードしなければならない。そのため、すべてのデータを参照してから表示するとした場合、すべての画像データを見るのに多大の時間を要することとなる。また、これらの画像データは一時的に利用されるものであるから、一度外部操作装置２１で見たにも関わらず、画像処理装置１１０の電源が切られたときには、再度同じ画像データのダウンロードが必要になる。さらに、画像処理装置１１０との接続を切断した後、再接続したときにも、再度同じ画像データのダウンロードが必要になる。
【００２９】
次に、本実施形態に係る情報処理システムにおいて画像処理装置に接続された外部操作装置にプレビュー・サムネイルを表示する際のイメージについて説明する。図６は、本実施形態に係る情報処理システムにおいて画像処理装置に接続された外部操作装置にプレビュー・サムネイルを表示する際のイメージについて説明する図である。
【００３０】
図６に示すように、画像処理装置１０に接続した際に一旦ダウンロードされた画像データは、外部操作装置２０の２次記憶装置２０６に記憶される。そして、その画像データを、外部操作装置２０の内部のメモリに展開させることにより、即座にプレビュー・サムネイル画像データを表示することができる。また、外部操作装置２０の２次記憶装置２０６に記憶されたプレビュー・サムネイル画像データは、当該サムネイル画像データの元となる画像データを作成した画像処理装置１０と紐付けられている。
【００３１】
次に、本実施形態に係る情報処理システムにおいて図６と異なる画像処理装置に接続された外部操作装置にプレビュー・サムネイルを表示する際のイメージについて説明する。図７は、本実施形態に係る情報処理システムにおいて図６と異なる画像処理装置に接続された外部操作装置にプレビュー・サムネイルを表示する際のイメージについて説明する図である。
【００３２】
図７に示すように、図６の画像処理装置１０と異なる画像処理装置１１との接続時において、プレビュー・サムネイル画像データは、元となる画像データを作成した画像形成装置と紐付けて記憶されている。よって、画像処理装置１１のプレビュー・サムネイル画像データのファイル名を、図６の画像処理装置１０のプレビュー・サムネイル画像データのファイル名と同一とした場合であっても混同しない。
【００３３】
また、外部操作装置２０の２次記憶装置２０６に格納されている画像データは暗号化されているので、画像処理装置１０、１１と接続された際に復号キーを取得しないと画像データを復号することができない。そのため、画像処理装置１０、１１と接続されていない状態では、画像データを参照することができない。すなわち、画像処理装置との接続を判断した画像形成装置から受信する復号キーを元に、暗号化された画像データを復号するのである。
【００３４】
次に、本実施形態に係る情報処理システムを構成する画像処理装置の初期設定の処理について説明する。図８は、本実施形態に係る情報処理システムを構成する画像処理装置の初期設定の処理について説明するフロー図である。
【００３５】
画像処理装置１０の初期設定を開始すると、ステップＳ８０１の処理において、外部操作装置２０が接続の有無を判断する。外部操作装置２０が接続されていない（ステップＳ８０１：ＮＯ）と判断すると、画像処理装置１０の初期設定を終了する。画像処理装置が接続されている（ステップＳ８０１：ＹＥＳ）と判断すると、ステップＳ８０２の処理へ移行する。
【００３６】
ステップＳ８０２の処理において、画像処理装置１０は、画像処理装置固有の自機固有情報を外部操作装置２０に通知する。この通知により、画像処理装置１０が保持するオリジナルの画像データと、外部操作装置２０が保持するプレビュー・サムネイル画像データとが同一であるか否かを検知する。
【００３７】
ステップＳ８０３の処理において、外部操作装置２０が格納している画像一覧情報と、外部操作装置２０の機器性能情報とを受信する。ステップＳ８０４の処理において、最新の画像一覧情報と、画像データが暗号化されていれば復号データを送信する。ステップＳ８０５の処理において、外部操作装置２０へ画像データをアップロードするか否かを判断する。
【００３８】
画像データをアップロードしない（ステップＳ８０５：ＮＯ）と判断すると、画像処理装置１０の初期設定を終了する。画像データをアップロードする（ステップＳ８０５：ＹＥＳ）と判断すると、ステップＳ８０６の処理へ移行する。
【００３９】
ステップＳ８０６の処理において、アップロードタイミングを設定する。外部操作装置２０へプレビュー・サムネイル画像データをアップロードするタイミングとして、以下の３つのうちの何れかを設定する。１つは、画像処理装置１０と外部操作装置２０との接続があったと判断したときである。２つ目は、画像処理装置１０においてプレビュー・サムネイル画像データが作成されたときである。３つ目は、外部操作装置２０がプレビュー・サムネイル画像データを要求したときである。
【００４０】
ステップＳ８０７の処理において、上記１つ目のタイミングである外部操作装置２０との接続があったと判断したときにアップロードするか否かを判断する。ステップＳ８０６において設定されたアップロードタイミングが、上記２つ目又は３つ目のタイミングに設定されたとき（ステップＳ８０７：ＮＯ）、ステップＳ８０９の処理へ移行する。ステップＳ８０６において設定されたアップロードタイミングが、上記１つ目のタイミングに設定されたとき（ステップＳ８０７：ＹＥＳ）、ステップＳ８０８の処理へ移行する。
【００４１】
ステップＳ８０８の処理において、画像処理装置１０に格納されているプレビュー・サムネイル画像データの全てのデータを外部操作装置２０にアップロードする。ステップＳ８０９の処理において、暗号制御部１１３によって、暗号化の設定を行う。ステップＳ８１０の処理において、外部操作装置２０の機器情報に最適化されたプレビュー・サムネイル画像データの作成を行うか否かを判断する。
【００４２】
最適化されたプレビュー・サムネイル画像データの作成を行わない（ステップＳ８１０：ＮＯ）と判断すると、画像処理装置１０の初期設定を終了する。最適化されたプレビュー・サムネイル画像データの作成を行う（ステップＳ８１１：ＹＥＳ）と判断すると、ステップＳ８１１の処理へ移行する。ステップＳ８１１の処理において、外部操作装置２０の機器情報に最適化されたプレビュー・サムネイル画像データの作成を行い、画像処理装置１０の初期化設定を終了する。
【００４３】
次に、本実施形態に係る情報処理システムを構成する画像処理装置の動作の処理について説明する。図９は、本実施形態に係る情報処理システムを構成する画像処理装置の動作の処理について説明するフロー図である。
【００４４】
画像処理装置１０の動作が開始すると、ステップＳ９０１の処理において、アップロードがＯＮであるか否かを判断する。アップロードがＯＮでない（ステップＳ９０１：ＮＯ）と判断すると、画像処理装置１０の動作を終了する。アップロードがＯＮである（ステップＳ９０１：ＹＥＳ）と判断すると、ステップＳ９０２の処理へ移行する。
【００４５】
ステップＳ９０２の処理において、プレビュー・サムネイル画像データを作成したか否かを判断する。プレビュー・サムネイル画像データを作成していない（ステップＳ９０２：ＮＯ）と判断すると、プレビュー・サムネイル画像データを作成するまで待機する。プレビュー・サムネイル画像を作成した（ステップＳ９０２：ＹＥＳ）と判断すると、ステップＳ９０３の処理へ移行する。
【００４６】
ステップＳ９０３の処理において、プレビュー・サムネイル画像データを外部操作装置２０の機器情報に最適化する必要があるか否かを判断する。最適化する必要がない（ステップＳ９０３：ＮＯ）と判断すると、ステップＳ９０５の処理へ移行する。最適化する必要がある（ステップＳ９０３：ＹＥＳ）と判断すると、ステップＳ９０４の処理へ移行する。
【００４７】
ステップＳ９０４の処理において、外部操作装置２０の機器情報に最適なプレビュー・サムネイル画像データの変換設定を行う。ステップＳ９０５の処理において、暗号化を行うか否かを判断する。暗号化を行わない（ステップＳ９０５：ＮＯ）と判断すると、画像処理装置１０の動作を終了する。
【００４８】
ステップＳ９０５の処理において、暗号化を行う（ステップＳ９０５：ＹＥＳ）と判断すると、ステップＳ９０６の処理へ移行し、暗号化設定を行う。ステップＳ９０７の処理において、プレビュー・サムネイル画像データを作成する。ステップＳ９０８の処理において、上記図８のステップＳ８０６の処理で設定されたアップロードタイミングが、２つ目の、画像処理装置１０においてプレビュー・サムネイル画像データが作成されたタイミングであるか否かを判断する。
【００４９】
画像処理装置１０において、プレビュー・サムネイル画像データが作成されたタイミングでアップロードしない（ステップＳ９０８：ＮＯ）と判断すると、ステップＳ９１０の処理へ移行する。画像処理装置１０においてプレビュー・サムネイル画像データが作成されたタイミングでアップロードする（ステップＳ９０８：ＹＥＳ）と判断すると、ステップＳ９０９の処理へ移行する。ステップＳ９０９の処理において、作成されたプレビュー・サムネイル画像データを外部操作装置２０にアップロードする。
【００５０】
ステップＳ９１０の処理において、プレビュー・サムネイル画像データの作成が完了したか否かを判断する。作成が完了していない（ステップＳ９１０：ＮＯ）と判断すると、ステップＳ９０２の処理へ戻る。作成が完了した（ステップＳ９１０：ＹＥＳ）と判断すると、ステップＳ９１１の処理へ移行する。ステップＳ９１１の処理において、オリジナルの画像データとプレビュー・サムネイル画像データとを紐付ける。この紐付けは、作成されたプレビュー・サムネイル画像データの一覧情報として、自機固有のＩＤと、作成された日時と、ファイル名とを外部操作装置２０へ送信することによって行う。そして、画像処理装置１０の動作を終了する。
【００５１】
次に、本実施形態に係る情報処理システムを構成する外部操作装置の初期設定の処理について説明する。図１０は、本実施形態に係る情報処理システムを構成する外部操作装置の初期設定の処理について説明するフロー図である。
【００５２】
外部操作装置２０の初期設定を開始すると、ステップＳ１００１の処理において、画像処理装置１０と接続したときに画像処理装置１０の固有情報を受信する。ステップＳ１００２の処理にいて、ステップＳ１００１の処理において受信した画像処理装置１０の固有情報と合致する情報一覧を画像処理装置１０に送信する。
【００５３】
具体的には、画像処理装置１０の固有情報と合致するプレビュー・サムネイル画像データを確認し、合致する画像が存在する場合には、当該合致するプレビュー・サムネイル画像データを確認する。そして、合致する画像が存在する場合は、画像情報一覧を画像処理装置１０に送信する。
【００５４】
ステップＳ１００３の処理において、画像処理装置１０から最新の画像情報一覧と復号キーを受信する。ステップＳ１００４の処理において、ステップＳ１００３の処理で受信した復号キーで復号した復号データと、ステップＳ１００３の処理で受信した最新の情報一覧を反映する。このとき、受信した最新の画像一覧に存在しない画像は削除されてたものとして、外部操作装置２０の２次記憶装置２０６から削除する。
【００５５】
ステップＳ１００５の処理において、外部操作装置２０の表示装置２０４のスペック情報を画像処理装置１０に送信する。すなわち、自機の画面スペック情報と求められるプレビュー・サムネイル画像データの設定とを画像処理装置１０に送信する。この処理によって、画像処理装置１０は、外部操作装置２０において最適なプレビュー・サムネイル画像データを認識する。
【００５６】
ステップＳ１００６の処理において、アップロードタイミングの設定を行う。これは、図８のステップＳ８０６の処理において説明した３つのアップロードタイミングのうちの何れかを設定する。ここでは、アップロードタイミングを、１つ目の、画像処理装置１０と外部操作装置２０との接続があったと判断したときに設定したと仮定する。
【００５７】
ステップＳ１００７の処理において、アップロードを受信するか否かを判断する。アップロードを受信しない（ステップＳ１００７：ＮＯ）と判断すると、外部操作装置２０の初期設定を終了する。アップロードを受信する（ステップＳ１００７：ＹＥＳ）と判断すると、ステップＳ１００８の処理へ移行する。ステップＳ１００８の処理において、プレビュー・サムネイル画像データの全てのデータをダウンロードし、外部操作装置２０の初期設定を終了する。
【００５８】
次に、本実施形態に係る情報処理システムを構成する外部操作装置の動作の処理について説明する。図１１は、本実施形態に係る情報処理システムを構成する外部操作装置の動作の処理について説明するフロー図である。
【００５９】
外部操作装置２０の動作が開始すると、ステップＳ１１０１の処理において、画像処理装置１０がプレビュー・サムネイル画像データを作成した際、外部操作装置２０に対してアップロード通知があったか否かを判断する。アップロード通知がない（ステップＳ１１０２：ＮＯ）と判断すると、ステップＳ１１０３の処理へ移行する。アップロード通知がある（ステップＳ１１０１：ＹＥＳ）と判断すると、ステップＳ１１０２の処理へ移行する。
【００６０】
ここで、図８のステップＳ８０６の処理において、２つ目の、画像処理装置１０においてプレビュー・サムネイル画像データが作成されたタイミングでアップロードを行う設定がされていると仮定する。ステップＳ１１０１の処理において、画像処理装置１０がプレビュー・サムネイル画像データを作成した旨の通知を受ける（ステップＳ１１０１：ＹＥＳ）。そして、ステップＳ１１０２の処理において、画像処理装置１０で作成されたプレビュー・サムネイル画像データのダウンロードとファイル一覧の更新を行う。
【００６１】
ステップＳ１１０３の処理において、プレビュー・サムネイル画像データの表示要求があるか否かを判断する。表示要求がない（ステップＳ１１０３：ＮＯ）と判断すると、ステップＳＳ１１０６の処理へ移行する。表示要求がある（ステップＳ１１０３：ＹＥＳ）と判断すると、ステップＳ１１０４の処理へ移行する。
【００６２】
ステップＳ１１０４の処理において、ステップＳ１１０２の処理において更新したプレビュー・サムネイル画像データに該当する画像データが外部操作装置２０の内部に記憶されているか否かを判断する。内部に記憶されている（ステップＳ１１０４：ＹＥＳ）と判断すると、ステップＳ１１０６の処理へ移行する。内部に記憶されていない（ステップＳ１１０４：ＮＯ）と判断すると、ステップＳ１１０５の処理へ移行する。
【００６３】
ステップＳ１１０５の処理において、画像処理装置１０に対して、外部操作装置２０の内部に記憶されていないと判断した画像データのアップロード要求を行い、当該画像データをダウンロードする。ステップＳ１１０６の処理において、ステップＳ１１０２又はステップＳ１１０５でダウンロードした画像データが暗号化されているか否かの判断を行う。
【００６４】
暗号化されていない（ステップＳ１１０６：ＮＯ）と判断すると、ステップＳ１１０８の処理へ移行する。暗号化されている（ステップＳ１１０６：ＹＥＳ）と判断すると、ステップＳ１１０７の処理へ移行する。ステップＳ１１０７の処理において、復号キーを用いて復号処理を行う。ステップＳ１１０８の処理において、外部操作装置２０上でプレビュー・サムネイル画像データの表示を行い、外部操作装置２０の動作を終了する。
【００６５】
次に、本実施形態に係る情報処理システムを構成する画像処理装置が持つ固有情報について説明する。図１２は、本実施形態に係る情報処理システムを構成する画像処理装置が持つ固有情報について説明する図である。
【００６６】
図１２に示すように、画像処理装置には、名称として、左からＭＦＰ  Ｎｏ１、ＭＦＰ  Ｎｏ２、ＭＦＰ  Ｎｏ１、ＭＦＰ  Ｎｏ４が振られている。一方、図１２の左から画像処理装置ＭＦＰ  Ｎｏ１には２０１４ｍｆｐ００１の固有情報が、ＭＦＰ  Ｎｏ２には２０１４ｍｆｐ００２の固有情報が振られている。さらに、ＭＦＰ  Ｎｏ１には２０１４ｍｆｐ００３の固有情報が、ＭＦＰ  Ｎｏ４には２０１４ｍｆｐ００４の固有情報が振られている。このように、画像処理装置の名称が同一であっても、各装置を識別するための唯一の固有情報が予め各画像処理装置に割り振られ、各画像処理装置において記憶さている。
【００６７】
次に、本実施形態に係る情報処理システムを構成する画像処理装置と外部操作装置とが送受する画像一覧情報について説明する。図１３は、本実施形態に係る情報処理システムを構成する画像処理装置と外部操作装置とが送受する画像一覧情報について説明する図である。
【００６８】
図１３に示すように、画像処理装置１０が記憶する画像一覧には、ファイル名、日時、復号キーが存在する。一方、外部操作装置２０が記憶する画像一覧には、ファイル名、日時、、復号キー、及び固有ＩＤが存在する。
【００６９】
そして、この固有ＩＤは、外部操作装置２０にダウンロードされた画像ファイルのオリジナル画像データが格納されている画像処理装置１０の固有情報である。したがって、外部操作装置２０は、接続された画像処理装置１０の固有情報と一致している固有ＩＤに対応する画像一覧に対してアクセスを行う。
【００７０】
次に、本実施形態に係る情報処理システムを構成する画像処理装置と外部操作装置とにいて行われるおける暗号化処理と復号化処理とについて説明する。図１４は、本実施形態に係る情報処理システムを構成する画像処理装置と外部操作装置とにいて行われるおける暗号化処理と復号化処理とについて説明する図である。
【００７１】
図１４に示すように、画像処理装置１０の暗号制御部１１３で暗号化された画像データは、外部操作装置２０の復号制御部２１２において、暗号化されている画像データが復号キーを元に復元される。すなわち、外部操作装置２０は、復号制御部２１２において復号キーを元にして暗号化されて見えない画像データを見える画像に復元する。
【００７２】
次に、本実施形態に係る情報処理システムを構成する外部操作装置が送信する表示装置のスペックについて説明する。図１５は、本実施形態に係る情報処理システムを構成する外部操作装置が送信する表示装置のスペックについて説明する図である。
【００７３】
図１５に示すように、外部操作装置２０の表示装置２０４のスペック情報を、外部操作装置２０から画像処理装置１０へ送信する。これにより、画像処理装置１０は、外部操作装置２０の表示装置２０４のスペック情報に基づいて、自装置が格納するプレビュー・サムネイル画像データを、外部操作装置２０において表示するのに最適な状態に設定し作成する。図１５の例では、外部操作装置２０において望ましいと設定されている２００ｄｐｉ（Dot Per Inch）のＪＰＥＧ（Joint Photographic Experts Group）画像を作成している。
【００７４】
なお、図８、図９、図１０、及び図１１に示した本実施形態に係る情報処理システムの動作フローは、コンピュータ上のプログラムに実行させることもできる。すなわち、画像処理装置１０、及び外部操作装置２０の制御装置１０１、２０１がそれぞれ内蔵する各ＣＰＵ（Central Processing Unit）が、１次記憶装置１０６、２０５に格納された各プログラムをロードする。そして、プログラムの各処理ステップが順次実行されることによって行われる。
【００７５】
なお、この形態は本発明の範囲を限定するものではなく、画像処理装置が、プレビュー・サムネイル画像データと外部操作装置との紐付けを記憶する機能を備えても良い。また、外部操作装置が、画像処理装置からダウンロードされたプレビュー・サムネイル画像データを、自装置の表示装置に表示するのに最適な状態に設定する機能を備えても良い。
【００７６】
また、情報処理システムを構成する画像処理装置、情報処理装置は複数台でも良く、どの画像処理装置、どの情報処理装置に機能を備えさせても良い。なお、この実施形態で説明する画像処理装置と情報処理装置とが接続された情報処理システムの構成は一例であり、用途や目的に応じて様々なシステム構成例があることはいうまでもない。
【００７７】
以上説明したように、本実施形態では、画像処理装置の外部に設けられた外部操作装置、情報処理装置が、画像処理装置で作成されたプレビュー・サムネイル画像データを予め格納するという構成を採っている。これにより、外部操作装置、情報処理装置において、プレビュー・サムネイル画像データを表示する都度、画像処理装置から画像データをダウンロードする必要がなく、素早く画像データを表示することができ、ユーザの利便性を高めることができる。
【００７８】
このように、本発明によれば、画像処理装置で作成された画像データを、素早く表示することが可能な情報処理装置、情報処理システム、及び情報処理装置のプログラムが得られるのである。
【００７９】
以上、これまで本発明の実施形態について説明してきたが、本発明の実施形態は上述した実施形態に限定されるものではない。すなわち、他の実施形態、追加、変更、削除等、当業者が想到することができる範囲内で変更することができ、何れの態様においても本発明の作用効果を奏する限り、本発明の範囲に含まれるものである。
【符号の説明】
【００８０】
１０    画像処理装置
２０    外部操作装置
１００    情報処理システム
１０１、２０１    制御装置
１０２    自機操作部
１０３    画像入出力装置
１０４、２０２    外部通信装置
１０５    変換装置
１０６、２０５    １次記憶装置
１０７、２０６    ２次記憶装置
１１１    変換制御部
１１２、２１１    管理制御部
１１３    暗号制御部
１１４、２１３    操作制御部
２０３    設定入出力装置
２０４    表示装置
２１２    復号制御部
【先行技術文献】
【特許文献】
【００８１】
【特許文献１】特開２０１３−０４６１７９号公報
【図１】
2016170727.tif 000003
【図２】
2016170727.tif 000004
【図３】
2016170727.tif 000005
【図４】
2016170727.tif 000006
【図５】
2016170727.tif 000007
【図６】
2016170727.tif 000008
【図７】
2016170727.tif 000009
【図８】
2016170727.tif 000010
【図９】
2016170727.tif 000011
【図１０】
2016170727.tif 000012
【図１１】
2016170727.tif 000013
【図１２】
2016170727.tif 000014
【図１３】
2016170727.tif 000015
【図１４】
2016170727.tif 000016
【図１５】
2016170727.tif 000017